(57)【要約】      （修正有）【課題】仕掛けのフォーリング時におけるヘッド部と複数の集魚部との干渉を軽減し、リーリング時とフォーリング時の両方でベイトの群れを演出し、魚へアピールすることを可能にする鯛ラバ仕掛けの提供。【解決手段】鯛ラバ仕掛け８は、ヘッド４aにシームレスリング４bが埋め込まれ、ヘッド部４に複数の集魚部５を装着することが可能となっている。また、ヘッド部４のフック部６との接続部と異なる位置に集魚部５を装着することによって、フック部６側から沈下する際のヘッド４aと集魚部５の干渉を軽減させることを可能とした。【選択図】図２
2019115286.tif 000002
【特許請求の範囲】
【請求項１】
錘の機能を有するヘッド部と餌の機能を有する集魚部とを備え、前記ヘッド部の下端部以外の表面に前記集魚部が備えられた鯛ラバ仕掛け。
【請求項２】
前記下端部には、フックがついたハリスが装着され、前記集魚部は、前記ハリスの装着部以外の前記ヘッド部に設けられた請求項１記載の鯛ラバ仕掛け。
【請求項３】
前記集魚部が、複数設けられた請求項1記載の鯛ラバ仕掛け。
【発明の詳細な説明】
【技術分野】
【０００１】
本発明は釣り用仕掛け、特に鯛ラバ仕掛けに関するものである。
【背景技術】
【０００２】
釣りにおいて多種多様な仕掛けがあり、同じ仕掛けであっても多種多様な釣り方が存在する。その中で、鯛ラバと呼ばれる仕掛けは、鉛やタングステンを使用した錘（ヘッド部）に、ビニールやシリコン製のラバー等の集魚部、数センチのハリス、釣り針が取り付けられた仕掛けである。主に船から真鯛を釣るために使用される。
【０００３】
ラバー等の集魚部が、水中でヒラヒラと動くことで、ベイト（魚にとって餌となる生物）の動きを演出している。
【０００４】
従来の鯛ラバは、集魚部がヘッド部の下端部の1ヶ所だけに装着されている。
【０００５】
従来のヘッド部と集魚部の装着形式としては、大きく分けて２つある。１つはヘッド部自体に直接集魚部が装着され、ヘッド部と集魚部が「一体」となっている「固定式」と呼ばれるタイプ（特許文献１、特許文献２参照）。もう１つは、ヘッド部に穴が貫通されており、その穴に集魚部がついたハリスを通す、もしくは、道糸（リールに巻かれたライン）を穴に通してその先に集魚部及びハリスを結束するといった、ヘッドと集魚部が「分離」している「遊動式」と呼ばれるタイプが存在する（特許文献３、特許文献４参照）。  
【０００６】
いずれのタイプにせよ、１つのヘッド部に対し集魚部は１ヶ所にしか装着されていない。
【先行技術文献】
【特許文献】
【０００７】
【特許文献１】特開２００８−１１３６１２号公報
【特許文献２】特開２００８−０５４５３９号公報
【特許文献３】特開２０１４−２１７３３４号公報
【特許文献４】登録実用新案第３１９９６０８号公報
【発明の概要】
【発明が解決しようとする課題】
【０００８】
従来の鯛ラバは、リーリング（巻き上げ）による集魚部の動作を重視しているため、集魚部は、ヘッド部の下端部とハリスとの接続部１ヶ所だけに装着されている。即ち、リーリングによって鯛ラバが釣り人へ向かって上昇していく際に、ベイトの動きを演出している。
【０００９】
しかし、フォーリング（沈下）時には、ヘッド部がハリス及び集魚部の接続部側から沈下していく際に、集魚部がヘッド部に巻き込まれてしまい、リーリング時とは異なる動きをしてしまう。
【００１０】
また、遊動式鯛ラバと呼ばれる、フォーリング時にヘッド部と集魚部が離れることによって巻き込みを防ぐものも存在するが、これはリーリングとフォーリングの切り替え時のヘッド部と集魚部が離れる瞬間に、集魚部がリーリング時の姿勢で止まる時間を生じてさせしまう。この動きがベイトの動きとしては不自然なものとなってしまい、仕掛けが見切られる可能性が高まってしまう。
【課題を解決するための手段】
【００１１】
本発明は、仕掛けのフォーリング時におけるヘッド部と集魚部との干渉を軽減し、リーリング時とフォーリング時の両方で魚へアピールすることを可能にする鯛ラバ仕掛けを提供することを目的とする。
【００１２】
本発明は、錘の機能を有するヘッド部と餌の機能を有する集魚部とを備え、前記ヘッド部の下端部以外の表面に前記集魚部が備え付けられた鯛ラバ仕掛けである。
【発明の効果】
【００１３】
本発明は、仕掛けのフォーリング時におけるヘッド部と集魚部との干渉を軽減し、リーリング時とフォーリング時の両方で魚へアピールすることができ、魚が仕掛けに食いつく確立を高めることができる。
【図面の簡単な説明】
【００１４】
【図１】本発明の使用例を示す斜視図である。
【図２】本発明の構成例を示す斜視図である。
【図３】本発明の構成例を示す分解斜視図である。
【図４】本発明のリーリング時の動作を説明するための図である。
【図５】本発明のフォーリング時の動作を説明するための図である。
【図６ａ】本発明のヘッド部の変更例を示す図である。
【図６ｂ】本発明のヘッド部の変更例を示す図である。
【図６ｃ】本発明のヘッド部の変更例を示す図である。
【図７ａ】本発明の集魚部の変更例を示す図である。
【図７ｂ】本発明の集魚部の変更例を示す図である。
【図７ｃ】本発明の集魚部の変更例を示す図である。
【発明を実施するための形態】
【００１５】
以下、本発明の鯛ラバ仕掛けにおける実施形態を、図面に基づき説明する。
【００１６】
図１に示すように、本発明の一実施の形態における鯛ラバ仕掛け８は、釣り竿１に装着されたリール２から自在に巻き取り及び放出されるライン３の先端に取り付けられている。
【００１７】
図２は本実施の形態における、鯛ラバ仕掛け８の構成を示す斜視図である。この鯛ラバ仕掛け８は、４個の集魚部５が装着されたヘッド部４に設けられた貫通孔４cにライン３を通し、ライン３の先端をフック部６と結束して構成されている。従来の鯛ラバ仕掛けであれば、ヘッド部４とフック部６との接続部分の１ヶ所だけに集魚部５が装着されるが、本実施の形態では、ヘッド部４のフック部６との接続部と異なる位置に、４個の集魚部５が装着されている。
【００１８】
図３は、本実施の形態における鯛ラバ仕掛け８を示す分解斜視図である。ヘッド４aはしずく型となっており、その半球部の円周が最大となる位置に、等間隔で４ヶ所にシームレスリング４bが埋め込まれている。これらのシームレスリング４bに、集魚部５を装着する。この集魚部5は、集魚具（ネクタイ）５aがシリコンチューブ５bを使ってローリングサルカン５cに固定されており、スプリットリング５dを介してローリングサルカン５cとシームレスリング４bとを接続する。フック６aは適度な長さのハリス６bの両端に結び付け、ハリス６bを折り返し、折り返し部分をシームレスリング６cに結束して固定する。このシームレスリング６cにスプリットリング６dを取り付ける。そして、ライン３をヘッド４aの貫通孔４c、発光玉７の順に通し、ライン３の先端をスプリットリング６dに結び付け、ヘッド部４とフック部６を接続する。なお発光玉７は、ライン３とヘッド４aの摩擦によるライン３の損傷を防ぐために装着している。
【００１９】
上記のように組み付けられた本実施の形態における鯛ラバ仕掛け８によれば、リーリング時には図４に示すような姿勢で矢印方向に動き、複数装着された集魚部５がベイトの群れを演出することができるため、魚への高いアピールを期待できる。
【００２０】
フォーリング時には図５のような姿勢で矢印方向にフック部６側から沈下し、集魚部５がヘッド部4の下端部以外の表面に設けられているため、ヘッド部４に集魚部５が巻き込まれることなく直線方向にヒラヒラと動く。これにより、リーリング時と同じような集魚部５の動きを演出することができ、リーリング時とフォーリング時の両方で魚への高いアピールを期待できる。
【００２１】
また、リーリングとフォーリングの切り替え時には、集魚部５はヘッド部４が沈下し始めると同時に進行方向を反転し始める。この集魚部５の反転の動きは、ベイトが捕食から逃げ惑い方向転換する姿の演出として、魚へのアピールにつなげることができる。
【００２２】
以上が、本発明における鯛ラバ仕掛け８の実施の形態の説明である。しかし、本発明はこれらの実施の形態にのみ限定されるものではなく、本発明の範囲内で変更が可能である。
【００２３】
ヘッド４の形状は、球体以外にも直方体等に変更可能であり、材質も鉛やタングステン等に変更可能である。シームレスリング４ｂの数や位置、向きも、変更が可能である。例えば、材質がタングステンで、しずく型のヘッド部４を用い、図６ａに示すように、３つのシームレスリング４ｂを無作為に選んだ部所に設けるといったことも可能である。また、図6ｂに示すような直方体のヘッドや、図6ｃに示すような八面体のヘッドを用いるといったことも可能である。
【００２４】
集魚具（ネクタイ）５ａの材質もシリコン、ポリ塩化ビニール、金属等に変更することも可能であり、形状も図７ａに示すような先端がらせん状となっているものや、図７ｂに示すような先端が複数に分かれているものを装着したり、図７ｃに示すような木の葉型の金属でできた集魚具（ネクタイ）５ａをスプリットリング５ｄで装着したり等、必要に応じて変更可能である。また、一つのヘッドに複数の集魚部を装着できるため、それぞれ異なる形状・材質・寸法・色彩の集魚具（ネクタイ）５ａを装着することも可能である。
【００２５】
以上のように本発明の鯛ラバ仕掛け８は、ヘッド部４の表面にリング状の金具を備え、集魚部５の複数装着を可能としたことを特徴とする。
【００２６】
また、図６ａ、図６ｂに示すように、本発明の鯛ラバ仕掛け８において、ヘッド部４とフック部６との接続部と異なる位置に集魚部５を装着することで、フック部６側からのフォーリング時におけるヘッド部４と集魚部５の干渉を軽減させることを特徴とする。
【００２７】
本発明によれば、フォーリング時のヘッド部４と集魚部５との干渉を軽減させることで、リーリング時だけでなくフォーリング時にも自然なベイトの動きを演出することができ、魚が仕掛けに食いつく確立を高めることができる。
【００２８】
リーリングとフォーリングが切り替わる瞬間においても、ヘッド部４が沈下し始めると同時に、集魚部５が進行方向を反転し始めるため、ベイトが方向転換し逃げ惑う姿の演出として、魚へのアピールにつなげることができる。
【００２９】
また、集魚部５の複数装着を可能にすることで、ベイトが複数群れている様子を演出することができ、魚へのアピール度合いをより高めることができる。
【符号の説明】
【００３０】
１  釣り竿
２  リール
３  ライン
４  ヘッド部
４a  ヘッド
４b  シームレスリング
４c  貫通孔
５  集魚部
５a  集魚具（ネクタイ）
５b  固定用シリコンチューブ
５c  ローリングサルカン
５d  スプリットリング
６  フック部
６a  フック
６b  ハリス
６c  シームレスリング
６d  スプリットリング
７  発光玉
８  鯛ラバ仕掛け
【図１】
2019115286.tif 000003
【図２】
2019115286.tif 000004
【図３】
2019115286.tif 000005
【図４】
2019115286.tif 000006
【図５】
2019115286.tif 000007
【図６ａ】
2019115286.tif 000008
【図６ｂ】
2019115286.tif 000009
【図６ｃ】
2019115286.tif 000010
【図７ａ】
2019115286.tif 000011
【図７ｂ】
2019115286.tif 000012
【図７ｃ】
2019115286.tif 000013